(57)【要約】【課題】衣類乾燥機において、乾燥時に回転ドラムが動いてしまっても、乾燥用空気が送風経路と回転ドラムの隙間から漏れにくくなり、乾燥効率が低下せず、乾燥時間を極力短くする。【解決手段】回転ドラム３２０の前方に設けられ回転ドラム３２０の動きを規制する前枠部材１１８と、回転ドラム３２０の前端部３２０ａに対向して前枠部材１１８に設けられた第１の緩衝材１１９ａと、第１の緩衝材１１９ａに接着された第２の緩衝材１１９ｂとを設けたため、乾燥時に回転ドラムが動いてしまっても、乾燥用空気が送風経路と回転ドラムの隙間から漏れにくくなり、乾燥効率が低下せず、乾燥時間を極力短くする。【選択図】図７
2014033848.tif 000002
【特許請求の範囲】
【請求項１】
衣類を収納して回転させる回転ドラムと、
前記回転ドラムを回転駆動するモータと、
前記乾燥室に衣類を出し入れする投入口と、
前記投入口を閉鎖する扉体と、
乾燥用空気を前記乾燥室内に送る送風ファンと、
回転ドラム内に乾燥用空気を循環させるための送風経路と、
前記回転ドラムの前方に設けられ前記回転ドラムの動きを規制する前枠部材と、
前記回転ドラムの前端部に対向して前記前枠部材に設けられた第１の緩衝材と、
前記第１の緩衝材に接着された第２の緩衝材とを設けた衣類乾燥機。
【請求項２】
前記第２の緩衝材は、前記回転ドラムの回転中心側の一部を前記第１の緩衝材に接着しない構成とし、かつ前記第２の緩衝材の径方向の長さを前記第１の緩衝材の径方向の長さよりも長くしたことを特徴とした請求項１記載の衣類乾燥機。
【請求項３】
前記第１の緩衝材に接着しない第２の緩衝材の端部を、前記回転ドラム後方側に曲げ、前記前枠部材に接触させる構成とした請求項２記載の衣類乾燥機。
【発明の詳細な説明】
【技術分野】
【０００１】
本発明は、衣類を乾燥させる衣類乾燥機に関するものである。
【背景技術】
【０００２】
従来の衣類乾燥機は、回転ドラムの下方に設けられた通風経路を通過して乾燥用空気を循環させている（特許文献１参照）。従来例の構成およびその動作を図１１に基づいて説明する。
【０００３】
図１１は、従来の衣類乾燥機を示す断面図である。特許文献１において、衣類を収容する回転ドラム1００は、回転軸を水平に設けて回転する。前面側に開口部１４を設け、背面側は底部１６を有する有底筒状に構成されている。回転ドラム１００の前面側には、開口部１４を開閉する扉体１３が設けられている。使用者は、扉体１３を開け閉めすることで衣類を回転ドラム１００から出し入れすることができる。回転ドラム１００の背面側には送風ファン１８が設けられている。送風ファン１８の回転によって、乾燥用空気は、回転ドラム１００の背面側から前面側に向かって送風される。回転ドラム１００内の乾燥用空気は、扉体１３を通過し、回転ドラムの下方に設けられた通風経路１５を通過して再び送風ファン１８に到達する。このようにして、乾燥用空気は循環する。
【先行技術文献】
【特許文献】
【０００４】
【特許文献１】特開２００５−１７７５１３号公報
【発明の概要】
【発明が解決しようとする課題】
【０００５】
しかしながら、上記従来の構成では回転ドラムと通風経路とのシールが不十分であるため、衣類を回転ドラム内に投入して乾燥時に回転ドラムを回転させると、衣類の重みやアンバランスが発生し回転ドラムが上下左右前後に動いてしまい、乾燥用空気が送風経路とドラムの隙間から漏れ出て乾燥効率が下がり、乾燥時間が長くなってしまうといった問題があった。
【０００６】
本発明は、上記従来の課題を解決するもので、乾燥時に回転ドラムが上下左右前後に動いてしまっても、乾燥用空気が送風経路と回転ドラムの隙間から漏れにくくなり、乾燥効率が低下せず、乾燥時間を極力短くすることを目的とする。
【課題を解決するための手段】
【０００７】
上記従来の課題を解決するために、本発明は、衣類を収納して回転させる回転ドラムと、前記回転ドラムを回転駆動するモータと、前記乾燥室に衣類を出し入れする投入口と、前記投入口を閉鎖する扉体と、乾燥用空気を前記乾燥室内に送る送風ファンと、回転ドラム内に乾燥用空気を循環させるための送風経路と、前記回転ドラムの前方に設けられ前記回転ドラムの動きを規制する前枠部材と、前記回転ドラムの前端部に対向して前記前枠部材に設けられた第１の緩衝材と、前記第１の緩衝材に接着された第２の緩衝材を設けたことを特徴するものである。
【０００８】
これによって、乾燥時に回転ドラムが上下左右前後の方向に動いてしまっても、乾燥用空気が送風経路と回転ドラムの隙間から漏れにくくなり、乾燥効率が低下せず、乾燥時間を極力短くすることができる。
【０００９】
できる。
【発明の効果】
【００１０】
本発明の衣類乾燥機は、乾燥時に回転ドラムが上下左右前後の方向に動いてしまっても、乾燥用空気が送風経路と回転ドラムの隙間から漏れにくくなり、乾燥効率が低下せず、乾燥時間を極力短くすることができる。
【図面の簡単な説明】
【００１１】
【図１】本発明の実施の形態１における衣類乾燥機の正面図
【図２】同衣類乾燥機の側断面図
【図３】同衣類乾燥機の背面斜視図
【図４】同衣類乾燥機のヒートポンプ装置の概略図
【図５】同衣類乾燥機の分解斜視図
【図６】同衣類乾燥機の前枠部材の背面図
【図７】同衣類乾燥機の回転ドラム前端部付近の拡大断面図
【図８】同衣類乾燥機の回転ドラム前端部付近の他の拡大断面図
【図９】同衣類乾燥機の前枠部材の正面図
【図１０】同衣類乾燥機の回転ドラム後端部付近の拡大断面図
【図１１】従来の衣類乾燥機の断面図
【発明を実施するための形態】
【００１２】
請求項１に記載の発明は、衣類を収納して回転させる回転ドラムと、前記回転ドラムを回転駆動するモータと、前記乾燥室に衣類を出し入れする投入口と、前記投入口を閉鎖する扉体と、乾燥用空気を前記乾燥室内に送る送風ファンと、回転ドラム内に乾燥用空気を循環させるための送風経路と、前記回転ドラムの前方に設けられ前記回転ドラムの動きを規制する前枠部材と、前記回転ドラムの前端部に対向して前記前枠部材に設けられた第１の緩衝材と、前記第１の緩衝材に接着された第２の緩衝材を設けたことを特徴するものである。これによって、乾燥時に回転ドラムが上下左右前後の方向に動いてしまっても、乾燥用空気が送風経路と回転ドラムの隙間から漏れにくくなり、乾燥効率が低下せず、乾燥時間を極力短くすることができる。
【００１３】
請求項２に記載の発明は、請求項１に記載の発明において、前記第２の緩衝材は、前記回転ドラムの回転中心側の一部を前記第１の緩衝材に接着しない構成とし、かつ前記第２の緩衝材の径方向の長さを前記第１の緩衝材の径方向の長さよりも長くしたことを特徴とする。これによって、乾燥時に回転ドラムが上下左右前後の方向に動いてしまっても、第２の緩衝材が前記前枠部材に接触しやすくなるので、乾燥用空気が送風経路と回転ドラムの隙間から漏れにくくなり、乾燥効率が低下せず、乾燥時間を極力短くすることができる。
【００１４】
請求項３に記載の発明は、請求項２に記載の発明において、前記第１の緩衝材に接着しない第２の緩衝材の端部を、前記回転ドラム後方側に曲げ、前記前枠部材に接触させる構成としたことを特徴とする。これによって、乾燥時に回転ドラムが上下左右前後の方向に動いてしまっても、第２の緩衝材が前記前枠部材に接触しやすくなるので、乾燥用空気が送風経路とドラムの隙間から漏れにくくなり、さらには回転ドラムの径方向の動きのときに、回転ドラムの前端部が、第２の緩衝材を前枠部材とシールする方向に押し付けるので、第２の緩衝材と前枠部材のシール性が高まり、乾燥効率が低下せず、乾燥時間を極力短くすることができる。
【００１５】
以下、本発明の実施の形態について、図面を参考にしながら説明する。なお、この実施の形態によってこの発明が限定されるものではない。
【００１６】
（実施の形態１）
本発明の実施の形態に係る衣類乾燥機につき、図１〜図１０を参照しながら以下に説明し本発明の理解に供する。以下の説明は本発明の具体例であって、特許請求の範囲の内容を限定するものではない。
【００１７】
以下、衣類乾燥機の概略構成が図１〜図４を用いて説明される。
【００１８】
図１は、本発明の実施の形態１における衣類乾燥機の正面図、図２は、本発明の実施の形態１における衣類乾燥機の側断面図、図３は、本発明の実施の形態１における衣類乾燥機の背面斜視図、図４は、本発明の実施の形態１における衣類乾燥機のヒートポンプ装置の概略図である。
【００１９】
衣類乾燥機１００は、筐体１１０を備える。衣類乾燥機１００は、筐体１１０内で、乾燥用空気を循環し、衣類を乾燥する乾燥機能を有する。筐体１１０は、前壁１１１と、前壁１１１とは反対側の後壁１１２と、前壁１１１と後壁１１２との間で立設された左壁１１３と、左壁１１３とは反対側の右壁１１４と、を含む。筐体１１０は、前壁１１１、後壁１１２、左壁１１３及び右壁１１４の上縁で囲まれる領域を閉塞する天壁１１５を更に含む。
【００２０】
前壁１１１には、投入口１１６が形成される。使用者は、投入口１１６を通じて、筐体１１０内に衣類を収容することができる。
【００２１】
衣類乾燥機１００は、前壁１１１に取り付けられた扉体１２０を更に備える。扉体１２０は、本体連結ヒンジ（図示せず）により、開位置と閉位置との間で回動することができる。図１に示される扉体１２０は、閉位置に存する。使用者は、扉体１２０に設けられている開閉用把手１２３を手前に引いて、扉体１２０を開位置に移動させ、投入口１１６を開放することができる。その後、使用者は、投入口１１６を通じて、筐体１１０内に衣類を収容することができる。使用者は、扉体１２０を閉位置に移動させ、投入口１１６を閉じることができる。このとき、扉ロックレバ（図示せず）により扉体１２０は閉位置に閉固定される。制御部（図示せず）は、扉ロックレバ（図示せず）が衣類乾燥機１００の本体側に閉止されたことを検知すると、衣類の乾燥が開始可能状態とする。その後、衣類は、回転ドラム３２０内で乾燥される。
【００２２】
衣類乾燥機１００は、操作パネル２０１を更に備える。操作パネル２０１は、前壁１１１の一部として用いられる。使用者は、操作パネル２０１を操作し、様々な運転コースを設定することができる。
【００２３】
衣類乾燥機１００は、操作パネル２０１から出力されたコース情報に応じて乾燥を実行する。使用者は、扉体１２０を開位置に移動させ、投入口１１６を通じて、回転ドラム３２０に衣類を投入することができる。
【００２４】
乾燥室としての回転ドラム３２０は有底円筒形状であり、回転ドラム３２０の回転軸心が水平となり、投入口１１６が正面側となるように配設されている。
【００２５】
衣類乾燥機１００の底面には、両軸駆動モータ３１０が設けられている。両軸駆動モータ３１０の前側回転駆動軸には、回転ドラム３２０を回転駆動するドラム駆動プーリ３１１が設けられている。回転ドラム３２０の外周には、ドラム駆動プーリ３１１に架設されたドラム駆動ベルト３１２が装着されている。両軸駆動モータ３１０の後側回転駆動軸には、送風ファン３３１を回転駆動するファン駆動プーリ３１３が設けられている。ファン
駆動プーリ３１３に架設されたファン駆動ベルト３１４を介して、両軸駆動モータ３１０の駆動力が送風ファン３３１に伝えられる。
【００２６】
送風ファン３３１は、ヒートポンプ装置４２０の下流に配置される。送風ファン３３１を駆動することにより、上流送風経路４８０の乾燥用空気を吸引する一方で、ファンケース３３０の下流送風経路３３２に乾燥用空気を送り出す。両軸駆動モータ３１０の回転により、回転ドラム３２０内に収容された衣類は、回転方向に持ち上げられ、持ち上げられた適当な高さ位置から落下する撹拌動作が繰り返される。さらに、送風ファン３３１の回転によって乾燥用空気が循環ダクト４３０から回転ドラム３２０内に送られる。回転ドラム３２０の底面には通風孔として、φ５程度の多数の孔（図示せず）が開口されており、ファンケース３３０と繋がる下流送風経路３３２を構成している。
【００２７】
上述の如く、回転ドラム３２０は、衣類を撹拌している。したがって、回転ドラム３２０へ流入した乾燥用空気は、衣類に効率よく衝突する。この結果、衣類は、適切に乾燥される。
【００２８】
乾燥用空気を循環させる循環ダクト４３０は、リントを捕集するリントフィルター５００と、ヒートポンプ装置４２０と、送風ファンを格納するファンケース３３０とを含む。ファンケース３３０は、回転ドラム３２０と後壁１１２との間に設けられた後枠部材１１７に連結されている。また、リントフィルター５００は、扉体１２０に設けられた第１リントフィルター５１０と、衣類乾燥機１００の下方で、かつヒートポンプ装置４２０の上流に設けられた第２リントフィルター４８２とを有する。循環ダクト４３０は、第１リントフィルター５１０および第２リントフィルター４８２の間に位置する上流送風経路４８０を含む。
【００２９】
衣類乾燥機１００は、循環ダクト４３０内で、回転ドラム３２０を通過した乾燥用空気と熱交換するヒートポンプ装置４２０を含む。ヒートポンプ装置４２０は、回転ドラム３２０から送風ファン３３１へ流れる乾燥用空気の流動経路上に配置される。ヒートポンプ装置４２０は、送風ファン３３１に向かって流れる空気と熱を交換し、高温かつ乾燥した空気を作り出す。
【００３０】
ヒートポンプ装置４２０は、空気を除湿する除湿部４２１と、空気を加熱する加熱部４２２と、を含む。第１リントフィルター５１０を通過した乾燥用空気は、除湿部４２１を通過する。この結果、空気の湿度は低下する。その後、乾燥用空気は、加熱部４２２を通過する。この結果、空気は加熱される。かくして、ヒートポンプ装置４２０は、回転ドラム３２０を通過した乾燥用空気と熱交換し、衣類を乾燥させるための乾燥用空気を作り出すことができる。
【００３１】
図４を参照して、ヒートポンプ装置４２０の詳細が説明される。
【００３２】
ヒートポンプ装置４２０は、作動媒体を圧縮するコンプレッサ４２３と、作動媒体を減圧する膨張弁４２４と、膨張弁４２４からコンプレッサ４２３へ流れる作動媒体を案内する第１循環チューブ４２５と、コンプレッサ４２３から膨張弁４２４へ流れる作動媒体を案内する第２循環チューブ４２６と、を含む。第１循環チューブ４２５及び第２循環チューブ４２６は、コンプレッサ４２３と膨張弁４２４とを通過する閉ループを形成する。第１循環チューブ４２５を流れる作動媒体は、膨張弁４２４による減圧によって低温となる。第２循環チューブ４２６を流れる作動媒体は、コンプレッサ４２３による圧縮によって高温となる。第１循環チューブ４２５及び第２循環チューブ４２６は、送風機４１０によって吸引される空気を案内する循環ダクト４３０内に突出する。
【００３３】
第１循環チューブ４２５は、循環ダクト４３０内で、多数回折り返された流路を規定する。ヒートポンプ装置４２０は、循環ダクト４３０内で折り返された第１循環チューブ４２５に取り付けられた多数のフィン４２７を含む。循環ダクト４３０内の第１循環チューブ４２５及びフィン４２７は、上述の除湿部４２１として用いられる。
【００３４】
第２循環チューブ４２６は、循環ダクト４３０内で、多数回折り返された流路を規定する。ヒートポンプ装置４２０は、循環ダクト４３０内で折り返された第２循環チューブ４２６に取り付けられた多数のフィン４２８を含む。循環ダクト４３０内の第２循環チュー
循環ダクト４３０内を流れる乾燥用空気は、低温の作動媒体によって冷却された第１循環チューブ４２５及びフィン４２７によって冷却される。この結果、乾燥用空気中の湿気は、第１循環チューブ４２５及びフィン４２７上で結露する。したがって、乾燥用空気は、除湿される。
【００３５】
その後、乾燥用空気は、高温の作動媒体によって加熱された第２循環チューブ４２６及びフィン４２８によって加熱される。したがって、乾燥用空気は、高温になり、衣類の乾燥に適した乾燥用空気となる。上述の如く、除湿部４２１及び加熱部４２２は、循環ダクト４３０内を流れる空気と熱交換し、乾燥用空気を作り出す。したがって、除湿部４２１及び加熱部４２２は、熱交換器として例示される。
【００３６】
送風ファン３３１は、ヒートポンプ装置４２０によって作り出された乾燥用空気吸引する一方で、ファンケース３３０の下流送風経路３３２に乾燥用空気を送り出す。この結果、乾燥用空気は、後枠部材１１７の開口部４３２を通じて、回転ドラム３２０の底面と後枠部材１１７の間の空間に流入する。
【００３７】
その後、乾燥用空気は、回転ドラム３２０の底壁３２１に形成された多数の通気孔（図示せず）を通じて、回転ドラム３２０内に流入する。乾燥用空気が回転ドラム３２０を通過する間、衣類は、乾燥用空気に衝突し、乾燥される。したがって、回転ドラム３２０から排出される乾燥用空気は、高い湿度となる。また、衣類から発生したリントや衣類に付着した髪の毛といった塵埃が、回転ドラム３２０から排出される乾燥用空気中で浮遊することとなる。
【００３８】
その後、図２の矢印のとおり、乾燥用空気は、扉体１２０の背面側に取り付けられた収容部１２１の扉体送風孔（図示せず）に送られる。扉体送風孔（図示せず）に送られた乾燥用空気は、第１リントフィルター５１０を通過する。このとき、第１リントフィルター５１０にて、乾燥用空気を浮遊するリントが捕集されて除去される。
【００３９】
第１リントフィルターを通過した乾燥用空気は、上方に位置する第１リントフィルターから下方に位置する第２リントフィルターに向かう上流送風経路４８０を通過し、第２リントフィルター４８２を通過する。第１リントフィルター５１０を通過したリントが、第２リントフィルター４８２にて捕集されて除去される。なお、第１リントフィルター５１０は、乾燥用空気の横向きの流れ方向に対してほぼ垂直に設けられているので、第１リントフィルター５１０に付着したリントの一部または第１リントフィルター５１０を通過したリントの一部が下方に落ちるので、第１リントフィルター５１０はリントで詰まりにくくなっている。
【００４０】
その後、乾燥用空気は、ヒートポンプ装置４２０に流入し、除湿および加温がなされる。除湿されて高温となった乾燥用空気は、吸引導出口４２９を経由して、再び送風ファン３３１に吸引されて下流送風経路３３２に送り出される。図２の白抜き矢印の流れのとおり、乾燥用空気は循環ダクト４３０と回転ドラム３２０内とを循環する。
【００４１】
以下、図５〜図１０を用いて回転ドラム３２０と前枠部材１１８とのシール構成、および回転ドラム３２０と後枠部材１１７とのシール構成が説明される。
【００４２】
図５は、本発明の実施の形態１における衣類乾燥機の分解斜視図、図６は、本発明の実施の形態１における衣類乾燥機の前枠部材の背面図、図７は、本発明の実施の形態１における衣類乾燥機の回転ドラム前端部付近の拡大断面図、図８は、本発明の実施の形態１における衣類乾燥機の回転ドラム前端部付近の他の拡大断面図、図９は、本発明の実施の形態１における前枠部材の正面図、図１０は、本発明の実施の形態１における回転ドラム後端部付近の拡大断面図である。
【００４３】
図２、図５〜８で示すとおり、回転ドラム３２０の前端部３２０ａに対向する位置にあたる前枠部材１１８の全周に緩衝材１１９を嵌め込むことのできる凹部１１８ａを設け、第１の緩衝材１１９ａが凹部１１８ａに嵌め込み貼り付けられている。この第１の緩衝材１１９ａの表面には第２の緩衝材１１９ｂが接着されており、第２の緩衝材１１９ｂは、一部が前枠部材１１８に沿うように接触しており、回転ドラム３２０の後方側に曲げられている。また、第１の緩衝材１１９ａの径方向の長さよりも第２の緩衝材１１９ｂの径方向の長さを長くとっている。さらに、図８において、第２の緩衝材１１９ｂは、回転ドラム３２０の回転中心側の一部を第１の緩衝材１１９ａに接着しない構成としている。
【００４４】
図７で示すとおり、乾燥時に回転ドラムを回転させて、衣類の重みやアンバランスが発生し回転ドラムが径方向に動いてしまったとき、回転ドラム３２０の前端部３２０ａによって回転ドラム３２０の後方側に曲げられている第２の緩衝材１１９ｂを回転ドラム３２０の回転中心側に押し付けるので、第２の緩衝材１１９ｂと前枠部材１１８とのシール性が高まり、乾燥効率が低下せず、乾燥時間を極力短くすることができる。
【００４５】
なお、第１の緩衝材１１９ａは、回転ドラム３２０の前後方向の動きによる衝撃を緩和するために、スポンジ部材を使用するのが望ましい。また、第２の緩衝材１１９ｂは、回転ドラム３２０の前端部３２０ａとの摩擦が発生するので、耐摩擦性の高いフェルト部材を使用するのが望ましい。
【００４６】
さらに、図２、図９〜図１０で示すとおり、回転ドラム３２０の後端部３２０ｂに対向する位置にあたる後枠部材１１７の全周に緩衝材Ａ１４１が取り付けられており、この緩衝材Ａ１４１の表面には緩衝材Ｂ１４０が接着されている。本実施の形態においては、後端部３２０ｂは後方に突出する部分を有しており、後端部３２０ｂに対向する位置にある後凸部１１７ａも後方に突出している。また、緩衝材Ａ１４１は後枠部材１１７の前凸部１１７ｂに取り付けられており、回転していない状態での回転ドラム３２０は緩衝材Ｂ１４０に接触して緩衝材Ａ１４１を後方に曲げる位置にある。緩衝材Ａ１４１はゴム等の弾性体で形成されており、前方に戻ろうとする力が働き、回転ドラム３２０と緩衝材Ｂ１４０とをシール使用する力が発生している。
【００４７】
特に、回転ドラム３２０が後方に動いたときに、後端部３２０ｂで緩衝材Ｂ１４０を押し付けるので、乾燥時に回転ドラムを回転させて、衣類の重みやアンバランスが発生し回転ドラムが後方向に動いてしまったとき、回転ドラム３２０の後端部３２０ｂによって回転ドラム３２０の後方側に曲げられている緩衝材Ｂ１４０および緩衝材Ａ１４１が後枠部材側に押され、回転ドラム３２０と緩衝材Ｂ１４０とのシール性が高まり、乾燥効率が低下せず、乾燥時間を極力短くすることができる。
【００４８】
なお、緩衝材Ａ１４１は、前方に戻ろうとする付勢力を有するゴム部材が望ましい。また、緩衝材Ｂ１４０は、回転ドラム３２０の後端部３２０ｂとの摩擦が発生するので、耐摩擦性の高いフェルト部材を使用するのが望ましい。
【産業上の利用可能性】
【００４９】
以上のように、本発明にかかる衣類乾燥機は、乾燥時に回転ドラムが動いてしまっても、乾燥用空気が送風経路と回転ドラムの隙間から漏れにくくなり、乾燥効率が低下せず、乾燥時間を極力短くすることができるため、衣類乾燥性能の悪化防止の観点から、衣類の乾燥機能を有した機器に対して有用である。
【符号の説明】
【００５０】
１００  衣類乾燥機
１１０  筐体
１１６  投入口
１１７  後枠部材
１１８  前枠部材
１１９ａ  第１の緩衝材
１１９ｂ  第２の緩衝材
１２０  扉体
１２３  開閉用把手
１４０  緩衝材Ｂ
１４１  緩衝材Ａ
３２０  回転ドラム（乾燥室）
３３０  ファンケース
３３１  送風ファン
３３２  下流送風経路（送風経路）
４２０  ヒートポンプ装置
４２１  除湿部
４２２  加熱部
４２９  吸引導出口
４３０  循環ダクト
４８０  上流送風経路（送風経路）
４８１  吸引導入口
５００  リントフィルター
【図１】
2014033848.tif 000003
【図２】
2014033848.tif 000004
【図３】
2014033848.tif 000005
【図４】
2014033848.tif 000006
【図５】
2014033848.tif 000007
【図６】
2014033848.tif 000008
【図７】
2014033848.tif 000009
【図８】
2014033848.tif 000010
【図９】
2014033848.tif 000011
【図１０】
2014033848.tif 000012
【図１１】
2014033848.tif 000013